(57)【要約】  搾乳器（１００）は、カップ部（１）とチューブ（２）〜（５）と第１容器（１１）と第２容器（２１）と第１流路（１０）と第２流路（２０）と圧電ポンプ（３０）と装着部（３５）と第１の逆止弁（Ｖ１）と第２の逆止弁（Ｖ２）と開閉弁（Ｃ）とを備える。カップ部（１）は、乳房とカップ部（１）との間に閉鎖空間を形成する。第１流路（１０）は閉鎖空間に連通する。第１流路（１０）は、母乳を貯蔵する第１容器（１１）を有する。圧電ポンプ（３０）の吸引口（３１）は第１流路（１０）に連通する。圧電ポンプ（３０）は、吸引口（３１）から閉鎖空間内の空気を吸引し、閉鎖空間に負圧を生じさせる。第２流路（２０）は、第１容器（１１）内の空間に連通する。チューブ（５）の端部には人工乳首（９）が設けられている。第２流路（２０）は、第１容器（１１）からチューブ（４）を介して流入した母乳を貯蔵する第２容器（２１）を有する。
2016024558.tif 000002
【特許請求の範囲】
【請求項１】
乳房に接触させるためのカップ部と、
前記カップ部を前記乳房に接触することで形成される閉鎖空間に連通する第１流路であって、前記乳房から出た母乳を貯蔵する第１貯蔵部を途中に有する第１流路と、
前記第１流路に連通する吸引口を有し、前記吸引口から前記閉鎖空間内の空気を吸引し、前記閉鎖空間に負圧を生じさせる負圧生成部と、
前記第１貯蔵部に連通し、前記第１貯蔵部とは逆側の端部に人工乳首を有する第２流路と、
前記第２流路の途中に設けられ、前記第２流路から前記第１貯蔵部へ流体が流れることを防ぐ第１の逆止弁と、を備える、ことを特徴とする搾乳器。
【請求項２】
前記第２流路は途中に、前記第１貯蔵部から前記第１の逆止弁を介して流入した前記母乳を貯蔵する第２貯蔵部を有する、ことを特徴とする請求項１に記載の搾乳器。
【請求項３】
前記第２流路における前記第１貯蔵部と前記第２貯蔵部との間は、巻回されたチューブで形成される、ことを特徴とする請求項２に記載の搾乳器。
【請求項４】
前記第２流路における前記人工乳首と前記第２貯蔵部との間は、巻回されたチューブで形成される、ことを特徴とする請求項２又は請求項３に記載の搾乳器。
【請求項５】
前記第１流路における前記カップ部と前記第１貯蔵部との間に設けられ、前記第１貯蔵部から前記カップ部へ前記流体が流れることを防ぐ第２の逆止弁を備える、ことを特徴とする請求項１から請求項４のいずれか１項に記載の搾乳器。
【請求項６】
前記第１流路における前記第１貯蔵部と前記負圧生成部との間に設けられ、この間の流路を開閉する開閉弁を備える、ことを特徴とする請求項１から請求項５のいずれか１項に記載の搾乳器。
【請求項７】
前記第２流路は、前記第２貯蔵部から分岐して伸びる複数の端部を有し、
各端部には、人工乳首が設けられている、ことを特徴とする請求項１から請求項６のいずれか１項に記載の搾乳器。
【請求項８】
前記負圧生成部は、圧電素子を有し、前記圧電素子により駆動する、ことを特徴とする請求項１から請求項７のいずれか１項に記載の搾乳器。
【発明の詳細な説明】
【技術分野】
【０００１】
この発明は、母乳を搾る搾乳器に関する。
【背景技術】
【０００２】
従来、母親等が母乳を搾るために使用する搾乳器が各種考案されている。【０００３】
例えば、特許文献１には、乳房に当接させるための漏斗部（カップ部）と、このカップ部に乳房を当接することで形成される閉鎖空間に負圧を生じさせるポンプ（負圧形成部）と、を備える搾乳器が開示されている。特許文献１の搾乳器において閉鎖空間とポンプは通気可能に接続されている。【０００４】
特許文献１の搾乳器において、閉鎖空間に吸引された母乳は、流路を介して哺乳瓶に貯蔵される。
【先行技術文献】
【特許文献】
【０００５】
【特許文献１】特表２０１３−５３３４２８号公報
【発明の概要】
【発明が解決しようとする課題】
【０００６】
しかしながら、特許文献１の搾乳器は、乳児に授乳する時、搾乳後に搾乳器から哺乳瓶を外し、人工乳首を哺乳瓶に装着させてからでなければ、授乳できない。【０００７】
したがって、特許文献１の搾乳器を含む従来の搾乳器は、搾乳および授乳を同時に行うことができなかった。【０００８】
本発明の目的は、搾乳および授乳を同時に行うことができる搾乳器を提供することにある。
【課題を解決するための手段】
【０００９】
本発明の搾乳器は、乳房に接触させるためのカップ部と、
カップ部を乳房に接触することで形成される閉鎖空間に連通する第１流路であって、乳房から出た母乳を貯蔵する第１貯蔵部を途中に有する第１流路と、
第１流路に連通する吸引口を有し、吸引口から閉鎖空間内の空気を吸引し、閉鎖空間に負圧を生じさせる負圧生成部と、
第１貯蔵部に連通し、第１貯蔵部とは逆側の端部に人工乳首を有する第２流路と、
第２流路の途中に設けられ、第２流路から第１貯蔵部へ流体が流れることを防ぐ第１の逆止弁と、を備える。【００１０】
この構成において、搾乳および授乳を開始する時、母親は、カップ部を乳房に装着し、負圧生成部を駆動する。そして、母親は人工乳首を赤ちゃんに咥えさせる。負圧生成部は例えばポンプである。【００１１】
これにより、閉鎖空間内の空気が第１流路へ吸引されて閉鎖空間内が負圧となり、乳房から出た母乳が第１流路へ吸引されて第１貯蔵部に貯蔵されていく。このとき、赤ちゃんが人工乳首を吸うと、第１貯蔵部に貯蔵された母乳が第２流路から人工乳首を介して赤ちゃんの口内に流入する。これにより、赤ちゃんは母乳を飲むことができる。そして、第１の逆止弁は、第２流路から第１貯蔵部へ流体が流れることを防ぐことができる。【００１２】
したがって、本発明によれば、搾乳および授乳を同時に行うことができる。【００１３】
また、第２流路は途中に、第１貯蔵部から第１の逆止弁を介して流入した母乳を貯蔵する第２貯蔵部を有する、ことが好ましい。【００１４】
この構成では、第２貯蔵部は緩衝領域として機能する。詳述すると、赤ちゃんが人工乳首を吸うと、第１貯蔵部から第１の逆止弁を介して流入した母乳が一旦第２貯蔵部に貯蔵される。その後、第２貯蔵部に貯蔵された母乳が第２流路から人工乳首を介して赤ちゃんの口内に流入する。【００１５】
また、第２流路における第１貯蔵部と第２貯蔵部との間は、巻回されたチューブで形成される、ことが好ましい。【００１６】
この構成では、赤ちゃんが顔を振りまわしても、チューブが伸びるため、チューブが閉塞したり引っ張られたりすることが無くなる。よって、この構成によれば、常時授乳が可能になる。【００１７】
また、第２流路における人工乳首と第２貯蔵部との間は、巻回されたチューブで形成される、ことが好ましい。【００１８】
この構成では、赤ちゃんが顔を振りまわしても、チューブが伸びるため、チューブが閉塞したり引っ張られたりすることが無くなる。よって、この構成によれば、常時授乳が可能になる。【００１９】
また、第１流路におけるカップ部と第１貯蔵部との間に設けられ、第１貯蔵部からカップ部へ流体が流れることを防ぐ第２の逆止弁を備える、ことが好ましい。【００２０】
この構成では、第２の逆止弁は、第１貯蔵部からカップ部へ母乳が流れることを防ぐことができる。【００２１】
また、第１流路における第１貯蔵部と負圧生成部との間に設けられ、この間の流路を開閉する開閉弁を備える、ことが好ましい。【００２２】
この構成では、授乳中において赤ちゃんの吸う力が弱いとき、母親が開閉弁を閉じる。そして、母親は、例えば第１貯蔵部を圧縮し、第１貯蔵部に貯蔵されている母乳を第１の逆止弁を介して第２流路へ流出させる。【００２３】
また、第２流路は、第２貯蔵部から分岐して伸びる複数の端部を有し、各端部には、人工乳首が設けられている、ことが好ましい。【００２４】
この構成では、複数の赤ちゃんのそれぞれに人工乳首を咥えさせることで、複数の赤ちゃんに対して同時に授乳することができる。【００２５】
また、負圧生成部は、圧電素子を有し、圧電素子により駆動する、ことが好ましい。【００２６】
この構成では、駆動時に発生する音や振動が小さい圧電素子を駆動源とすることで、搾乳器の静音化を図ることができる。
【発明の効果】
【００２７】
本発明によれば、搾乳および授乳を同時に行うことができる。
【図面の簡単な説明】
【００２８】
【図１】本発明の第１実施形態に係る搾乳器１００の構成を説明する概略図である。
【図２】図１に示す搾乳器１００が搾乳だけを行っている時における母乳の流れを示す説明図である。
【図３】図１に示す搾乳器１００が搾乳および授乳を同時に行っている時における母乳の流れを示す説明図である。
【図４】図１に示す搾乳器１００が授乳だけを行っている時における母乳の流れを示す説明図である。
【図５】本発明の第２実施形態に係る搾乳器２００の構成を説明する概略図である。
【図６】図５に示すチューブ２０５の外観斜視図である。
【図７】本発明の第３実施形態に係る搾乳器３００の構成を説明する概略図である。
【図８】図７に示す搾乳器３００が搾乳だけを行っている時における母乳の流れを示す説明図である。
【図９】図７に示す搾乳器３００が搾乳および授乳を同時に行っている時における母乳の流れを示す説明図である。
【図１０】本発明の第４実施形態に係る搾乳器４００の構成を説明する概略図である。
【図１１】図１０に示す搾乳器４００が搾乳だけを行っている時における母乳の流れを示す説明図である。
【図１２】図１０に示す搾乳器４００が搾乳および授乳を同時に行っている時における母乳の流れを示す説明図である。
【図１３】図１０に示す搾乳器４００が授乳だけを行っている時における母乳の流れを示す説明図である。
【発明を実施するための形態】
【００２９】
以下、本発明の第１実施形態に係る搾乳器１００について説明する。
【００３０】
図１は、本発明の第１実施形態に係る搾乳器１００の構成を説明する概略図である。搾乳器１００は、カップ部１と、チューブ２〜５と、第１容器１１と、第２容器２１と、第１流路１０と、第２流路２０と、圧電ポンプ３０と、装着部３５と、第１の逆止弁Ｖ１と、第２の逆止弁Ｖ２と、開閉弁Ｃと、を備える。
【００３１】
なお、圧電ポンプ３０は、本発明の負圧生成部に相当する。第１容器１１は、本発明の第１貯蔵部に相当する。第２容器２１は、本発明の第２貯蔵部に相当する。
【００３２】
カップ部１は、乳房５０に接触させるためのものである。カップ部１は、乳房５０に接触することで、乳房５０とカップ部１との間に閉鎖空間５１を形成する。
【００３３】
第１流路１０は、チューブ２内の空間と、第１容器１１内の空間と、チューブ３内の空間と、圧電ポンプ３０及び装着部３５に挟まれた空間とによって形成されている。第１流路１０は、閉鎖空間５１に連通する。第１流路１０は途中に、第１容器１１を有する。第１容器１１は、チューブ２から流入した母乳と空気をフィルタ等によって分離し、母乳を貯蔵する。
【００３４】
圧電ポンプ３０は、圧電素子を有し、圧電素子により駆動する。装着部３５は圧電ポンプ３０に装着している。圧電ポンプ３０は略円柱状であり、装着部３５はコップ状である。圧電ポンプ３０は、空気の吸引口３１と空気の吐出口３２とを有する。圧電ポンプ３０の吸引口３１は、第１流路１０に連通する。圧電ポンプ３０は、吸引口３１から閉鎖空間５１内の空気を吸引し、閉鎖空間５１に負圧を生じさせる。これにより、乳房５０から母乳が出る。
【００３５】
第２流路２０は、チューブ４内の空間と、第２容器２１内の空間と、チューブ５内の空間とによって形成されている。第２流路２０は、第１容器１１内の空間に連通する。第２流路２０は、第１容器１１とは逆側の端部（チューブ５の端部）を有する。第１容器１１とは逆側の端部（チューブ５の端部）には、人工乳首９が設けられている。
【００３６】
第１の逆止弁Ｖ１は、第２流路２０の途中であるチューブ４内に設けられる。第１の逆止弁Ｖ１は、第２流路２０から第１容器１１へ流体が流れることを防ぐ。
【００３７】
第２流路２０は途中に、第１容器１１からチューブ４を介して流入した母乳を貯蔵する第２容器２１を有する。
【００３８】
なお、チューブ２〜５、装着部３５、第１容器１１、及び第２容器２１の材料は例えば、ポリプロピレンやポリエチレンなどである。
【００３９】
第２の逆止弁Ｖ２は、第１流路１０におけるカップ部１と第１容器１１との間であるチューブ２内に設けられている。第２の逆止弁Ｖ２は、第１容器１１からカップ部１へ流体が流れることを防ぐ。
【００４０】
開閉弁Ｃは、第１流路１０における第１容器１１と圧電ポンプ３０との間であるチューブ３内に設けられ、チューブ３内の流路を開閉する。
【００４１】
以下、搾乳器１００が搾乳および授乳を同時に行う場面について説明する。
【００４２】
図２は、図１に示す搾乳器１００が搾乳だけを行っている時における母乳の流れを示す説明図である。図３は、図１に示す搾乳器１００が搾乳および授乳を同時に行っている時における母乳の流れを示す説明図である。図４は、図１に示す搾乳器１００が授乳だけを行っている時における母乳の流れを示す説明図である。
【００４３】
なお、図中における矢印は、母乳および空気を含む流体の流れを示す。また、第１の逆止弁Ｖ１及び第２の逆止弁Ｖ２は、○とＶで示している。○とＶが離間している場合、弁が開いていることを示す。反対に、○とＶが接触している場合、弁が閉じていることを示す。
【００４４】
搾乳及び授乳を開始する時、母親は、開閉弁Ｃを開いた状態にし、カップ部１を乳房５０に装着し、圧電ポンプ３０を駆動（オン）する。これにより、図２に示すように、閉鎖空間５１内の空気が第１流路１０へ吸引されて閉鎖空間５１内が負圧となり、母乳が第１流路１０へ吸引されて第１容器１１に貯蔵されていく。そして、母親は人工乳首９を赤ちゃんＢに咥えさせる。
【００４５】
このとき、赤ちゃんＢが人工乳首９を吸うと、図３に示すように、第１の逆止弁Ｖ１が開き、第１容器１１に貯蔵された母乳が、チューブ４を介して一旦第２容器２１へ流入し、第２容器２１に貯蔵される。その後、第２容器２１に貯蔵された母乳が第２流路２０から人工乳首９を介して赤ちゃんＢの口内に流入する。これにより、赤ちゃんＢは母乳を飲むことができる。第２容器２１は緩衝領域として機能する。
【００４６】
そして、第１の逆止弁Ｖ１は、第２流路２０から第１容器１１へ流体が流れることを防ぐ。第２の逆止弁Ｖ２は、第１容器１１からカップ部１へ母乳が流れることを防ぐ。
なお、第１の逆止弁Ｖ１が無いと、人工乳首９から空気が第１容器１１および第２容器２１へ流入する為、第１の逆止弁Ｖ１がある時と比較して、第１容器１１は負圧になりにくい。よって搾乳できないこともある。
【００４７】
したがって、搾乳器１００によれば、搾乳および授乳を同時に行うことができる。
【００４８】
また、圧電ポンプ３０は、駆動時に発生する音や振動が小さい圧電素子を駆動源としているため、搾乳器１００の静音化を図ることができる。
【００４９】
なお、赤ちゃんＢの個人差等により、授乳中において赤ちゃんＢの吸う力が弱いことがある。授乳中において赤ちゃんＢの吸う力が弱いとき、母親は開閉弁Ｃを閉じる。このとき、開閉弁Ｃを閉じるとともに圧電ポンプ３０を停止（オフ）してもよいし、圧電ポンプ３０を駆動したままにしておいてもよい。
【００５０】
そして、母親は、図４に示すように、第１容器１１を圧縮し、第１容器１１に貯蔵されている母乳を第１の逆止弁Ｖ１を介して第２容器２１へ流出させる。このとき、第２の逆止弁Ｖ２は、第１容器１１からカップ部１へ母乳が流れることを防ぐ。
【００５１】
その後、赤ちゃんＢが人工乳首９を吸うことで、第２容器２１に貯蔵された母乳が第２流路２０から人工乳首９を介して赤ちゃんＢの口内に流入する。これにより、赤ちゃんＢは母乳を飲むことができる。
【００５２】
以下、本発明の第２実施形態に係る搾乳器２００について説明する。
【００５３】
図５は、本発明の第２実施形態に係る搾乳器２００の構成を説明する概略図である。図６は、図５に示すチューブ２０５の外観斜視図である。
【００５４】
第２実施形態に係る搾乳器２００が前述の搾乳器１００と相違する点は、チューブ２０４及びチューブ２０５である。その他の構成は同じであるため、説明を省略する。
【００５５】
搾乳器２００において、第２流路２０における人工乳首９と第２容器２１との間は、図６に示すような巻回されたチューブ２０５で形成されている。第２流路２０における第１容器１１と第２容器２１との間も、図６に示すチューブ２０５と同様に、巻回されたチューブ２０４で形成されている。
【００５６】
この実施形態の搾乳器２００によれば、搾乳器１００と同様、搾乳および授乳を同時に行うことができる。
【００５７】
また、搾乳器２００では、赤ちゃんＢが顔を振りまわしても、チューブ２０４、２０５が伸びるため、チューブ２０４、２０５が閉塞したり引っ張られたりすることが無くなる。よって、搾乳器２００によれば、常時授乳が可能になる。
【００５８】
以下、本発明の第３実施形態に係る搾乳器３００について説明する。
【００５９】
図７は、本発明の第３実施形態に係る搾乳器３００の構成を説明する概略図である。図８は、図７に示す搾乳器３００が搾乳だけを行っている時における母乳の流れを示す説明図である。図９は、図７に示す搾乳器３００が搾乳および授乳を同時に行っている時における母乳の流れを示す説明図である。
【００６０】
なお、図中における矢印は、母乳および空気を含む流体の流れを示す。また、第１の逆止弁Ｖ１及び第２の逆止弁Ｖ２は、○とＶで示している。○とＶが離間している場合、弁が開いていることを示す。反対に、○とＶが接触している場合、弁が閉じていることを示す。
【００６１】
第３実施形態に係る搾乳器３００が前述の搾乳器１００と相違する点は、第２流路３２０である。その他の構成は同じであるため、説明を省略する。
【００６２】
第２流路３２０は、第２容器２１から分岐して伸びる複数の端部３５１、３５２、３５３を有する。各端部３５１、３５２、３５３には、人工乳首３９１、３９２、３９３が設けられている。
【００６３】
この実施形態の搾乳器３００によれば、図８、図９に示すように、搾乳器１００と同様、搾乳および授乳を同時に行うことができる。
【００６４】
また、搾乳器３００は、図９に示すように、複数の赤ちゃんＢ１、Ｂ２、Ｂ３のそれぞれに人工乳首３９１、３９２、３９３を咥えさせることで、複数の赤ちゃんＢ１、Ｂ２、Ｂ３に対して同時に授乳することができる。
【００６５】
以下、本発明の第４実施形態に係る搾乳器４００について説明する。
【００６６】
図１０は、本発明の第４実施形態に係る搾乳器４００の構成を説明する概略図である。図１１は、図１０に示す搾乳器４００が搾乳だけを行っている時における母乳の流れを示す説明図である。図１２は、図１０に示す搾乳器４００が搾乳および授乳を同時に行っている時における母乳の流れを示す説明図である。図１３は、図１０に示す搾乳器４００が授乳だけを行っている時における母乳の流れを示す説明図である。
【００６７】
なお、図中における矢印は、母乳および空気を含む流体の流れを示す。また、第１の逆止弁Ｖ１及び第２の逆止弁Ｖ２は、○とＶで示している。○とＶが離間している場合、弁が開いていることを示す。反対に、○とＶが接触している場合、弁が閉じていることを示す。
【００６８】
第４実施形態に係る搾乳器４００が前述の搾乳器１００と相違する点は主に、シリンジ４１２を有する容器４１１である。シリンジ４１２は、容器４１１内の体積を増減させる。シリンジ４１２及び容器４１１で構成される空間は、第１流路４１０の一部を構成する。また、搾乳器４００は搾乳器２００と同様に、チューブ２０５で形成されている。その他の構成は同じであるため、説明を省略する。
【００６９】
この実施形態の搾乳器４００によれば、図１１、図１２に示すように、搾乳器１００と同様、搾乳および授乳を同時に行うことができる。
【００７０】
また、授乳中において赤ちゃんＢの吸う力が弱いとき、母親は、圧電ポンプ３０を停止して開閉弁Ｃを閉じる。そして、母親は、図１３に示すように、シリンジ４１２を可動させて第１容器４１１内を圧縮し、第１容器４１１に貯蔵されている母乳を第１の逆止弁Ｖ１を介して第２容器２１へ流出させる。このとき、第２の逆止弁Ｖ２は、第１容器４１１からカップ部１へ母乳が流れることを防ぐ。
【００７１】
その後、赤ちゃんＢが人工乳首９を吸うことで、第２容器２１に貯蔵された母乳がチューブ２０５から人工乳首９を介して赤ちゃんＢの口内に流入する。これにより、赤ちゃんＢは母乳を飲むことができる。
【００７２】
《その他の実施形態》
なお、前述の実施形態における圧電ポンプ３０は、圧電素子の伸縮によって屈曲振動するアクチュエータを備えるが、これに限るものではない。例えば、電磁駆動で屈曲振動するアクチュエータを備えてもよい。
【００７３】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００７４】
Ｃ…開閉弁
Ｖ１…第１の逆止弁
Ｖ２…第２の逆止弁
１…カップ部
２…チューブ
３…チューブ
４…チューブ
５…チューブ
９…人工乳首
１０…第１流路
１１…第１容器
２０…第２流路
２１…第２容器
３０…圧電ポンプ
３１…吸引口
３２…吐出口
３５…装着部
５０…乳房
５１…閉鎖空間
１００…搾乳器
２００…搾乳器
２０４…チューブ
２０５…チューブ
３００…搾乳器
３２０…第２流路
３５１…端部
３９１…人工乳首
４００…搾乳器
４１０…第１流路
４１１…第１容器
４１２…シリンジ
【図１】
2016024558.tif 000003
【図２】
2016024558.tif 000004
【図３】
2016024558.tif 000005
【図４】
2016024558.tif 000006
【図５】
2016024558.tif 000007
【図６】
2016024558.tif 000008
【図７】
2016024558.tif 000009
【図８】
2016024558.tif 000010
【図９】
2016024558.tif 000011
【図１０】
2016024558.tif 000012
【図１１】
2016024558.tif 000013
【図１２】
2016024558.tif 000014
【図１３】
2016024558.tif 000015
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
乳房に接触させるためのカップ部と、
前記カップ部を前記乳房に接触することで形成される閉鎖空間に連通する第１流路であって、前記乳房から出た母乳を貯蔵する第１貯蔵部を途中に有する第１流路と、
前記第１流路に連通する吸引口を有し、前記吸引口から前記閉鎖空間内の空気を吸引し、前記閉鎖空間に負圧を生じさせる負圧生成部と、
前記第１貯蔵部に連通し、前記第１貯蔵部とは逆側の端部に人工乳首を有する第２流路と、
前記第２流路の途中に設けられ、前記第２流路から前記第１貯蔵部へ流体が流れることを防ぐ第１の逆止弁と、
前記第１流路における前記第１貯蔵部と前記負圧生成部との間に設けられ、この間の流路を開閉する開閉弁と、を備える、ことを特徴とする搾乳器。
【請求項２】
前記第２流路は途中に、前記第１貯蔵部から前記第１の逆止弁を介して流入した前記母乳を貯蔵する第２貯蔵部を有する、ことを特徴とする請求項１に記載の搾乳器。
【請求項３】
前記第２流路における前記第１貯蔵部と前記第２貯蔵部との間は、巻回されたチューブで形成される、ことを特徴とする請求項２に記載の搾乳器。
【請求項４】
前記第２流路における前記人工乳首と前記第２貯蔵部との間は、巻回されたチューブで形成される、ことを特徴とする請求項２又は請求項３に記載の搾乳器。
【請求項５】
前記第１流路における前記カップ部と前記第１貯蔵部との間に設けられ、前記第１貯蔵部から前記カップ部へ前記流体が流れることを防ぐ第２の逆止弁を備える、ことを特徴とする請求項１から請求項４のいずれか１項に記載の搾乳器。
【請求項６】
前記第２流路は、前記第２貯蔵部から分岐して伸びる複数の端部を有し、
各端部には、人工乳首が設けられている、ことを特徴とする請求項１から請求項５のいずれか１項に記載の搾乳器。
【請求項７】
前記負圧生成部は、圧電素子を有し、前記圧電素子により駆動する、ことを特徴とする請求項１から請求項６のいずれか１項に記載の搾乳器。
【国際調査報告】
2016024558.tif 000016
2016024558.tif 000017